(57)【要約】【課題】フレキシブルプリント配線板の接続の信頼性を向上させることができる表示装置を提供すること。【解決手段】本発明の一態様にかかる液晶表示装置１００は、液晶表示パネル１０１と、液晶表示パネル１０１を制御する制御回路１０５と、液晶表示パネル１０１と制御回路１０５とを接続するフレキシブルプリント配線板１０３とを有する液晶表示装置１００であって、フレキシブルプリント配線板１０３は、側端辺から設けられた切込み部１０７を有し、切込み部１０７の先端には、略円形状の開口部１０８が設けられているものである。【選択図】  図１
2007199464.tif 000002
【特許請求の範囲】
【請求項１】
表示パネルと、
前記表示パネルに信号を供給する回路と、
前記表示パネルと前記回路とを接続するフレキシブルプリント配線板と、
を有する表示装置であって、
前記フレキシブルプリント配線板は、側端辺から設けられた切込み部を有し、
前記切込み部の先端には、略円形状の開口部が設けられている表示装置。
【請求項２】
前記開口部の大きさは、前記切込み部の幅よりも大きい請求項１に記載の表示装置。
【請求項３】
前記切込み部の前記側端辺からの長さは、前記フレキシブルプリント配線板の幅の半分以下である請求項１又は２に記載の表示装置。
【請求項４】
前記切込み部は、前記フレキシブルプリント配線板の対向する側端辺に各１つ以上設けられている請求項１、２又は３に記載の表示装置。
【請求項５】
表示パネルと当該表示パネルに信号を供給する回路とを接続するフレキシブルプリント配線板であって、
前記フレキシブルプリント配線板は、側端辺から設けられた切込み部を有し、
前記切込み部の先端には、略円形状の開口部が設けられているフレキシブルプリント配線板。
【請求項６】
前記開口部の大きさは、前記切込み部の幅よりも大きい請求項５に記載のフレキシブルプリント配線板。
【請求項７】
前記切込み部の前記側端辺からの長さは、前記フレキシブルプリント配線板の幅の半分以下である請求項５又は６に記載のフレキシブルプリント配線板。
【請求項８】
前記切込み部は、前記フレキシブルプリント配線板の対向する側端辺に各１つ以上設けられている請求項５、６又は７に記載のフレキシブルプリント配線板。
【発明の詳細な説明】
【技術分野】
【０００１】
本発明は、表示装置及びフレキシブルプリント配線板に関し、特に詳しくは、表示パネルと制御回路とを接続するフレキシブルプリント配線板を有する表示装置及びこれに用いられるフレキシブル配線板に関する。
【背景技術】
【０００２】
近年、小型軽量、省電力等の利便性から、携帯電話機、携帯情報端末、電子手帳、携帯テレビ、自動車の速度メーター等の多くの電子機器で液晶表示装置などの表示装置が利用されている。液晶表示装置においては、表示画面が大型化される一方、液晶表示パネルの表示領域以外の領域、即ち、額縁領域を少しでも小さくする（狭額縁化）ことが要望されている。
【０００３】
このような狭額縁化に対応するために、液晶表示パネルを駆動する駆動回路を、液晶表示パネルを構成するガラス基板上に実装し、この駆動回路に電源電圧および駆動信号を供給するための制御回路を接続するため、フレキシブルプリント配線板（以下、ＦＰＣ（Flexible Printed Circuit）とする。）を液晶表示パネルの外周部に実装するようにしたものが知られている（例えば、特許文献１参照）。
【特許文献１】特開平１１−０２４０９７号公報
【発明の開示】
【発明が解決しようとする課題】
【０００４】
一般的に、液晶表示パネルとＦＰＣとをＡＣＦ（Anisotropic Conductive Film）などの導電性材料により接続した後に、ＦＰＣに設けられた接続端子を、制御回路側の接続端子に直接半田付けしたり、制御回路側のコネクタに挿入することによってＦＰＣと制御回路とを接続する。
【０００５】
しかしながら、ＦＰＣが液晶表示パネルに対してずれた状態で接続された場合、ＦＰＣの接続端子の位置が制御回路の接続端子位置からずれてしまう。この場合、無理やりＦＰＣと制御回路とを接続すると、ＦＣＰに撓みや突っ張りが生じてしまう。このようなＦＰＣの撓みや突っ張りによりＦＰＣに負荷が加わり、ＦＰＣが制御回路あるいは液晶表示パネルから外れてしまい、接続不良が発生してしまう。
【０００６】
また、現状の液晶表示装置においては表示内容が多くなり、配線数も多くなっている。このため、接続端子数が多くなり、おのずと接続端子は狭ピッチにならざるを得ない。上記のように、ＦＰＣの位置がわずかでもずれると、隣接する接続端子が短絡してしまうという問題が発生する。このため、液晶表示装置の製造工程において、ＦＰＣの位置決めには多くの時間を必要とし、作業効率が悪い。
【０００７】
本発明は、上記のような事情を背景としてなされたものであり、本発明の目的は、フレキシブルプリント配線板の接続の信頼性を向上させることができる表示装置及びこれに用いるフレキシブルプリント配線板を提供することである。
【課題を解決するための手段】
【０００８】
本発明の第１の態様にかかる表示装置は、表示パネルと、前記表示パネルに信号を供給する回路と、前記表示パネルと前記回路とを接続するフレキシブルプリント配線板とを有する表示装置であって、前記フレキシブルプリント配線板は、側端辺から設けられた切込み部を有し、前記切込み部の先端には、略円形状の開口部が設けられているものである。このような構成とすることによって、フレキシブルプリント配線板による表示パネルと制御回路との信頼性の高い接続を容易に行うことができる。
【０００９】
本発明の第２の態様にかかる表示装置は、上記の表示装置において、前記開口部の大きさは、前記切込み部の幅よりも大きいものである。このように前記開口部の大きさを前記切込み部の幅方向で、前記切込み部の幅よりも大きくする構成とすることにより、フレキシブルプリント配線板の位置ずれの許容範囲をより拡張することができる。
【００１０】
本発明の第３の態様にかかる表示装置は、上記の表示装置において、前記切込み部の前記側端辺からの長さは、前記フレキシブルプリント配線板の幅の半分以下であるものである。このような構成とすることにより、接続の信頼性を向上させることができる。
【００１１】
本発明の第４の態様にかかる表示装置は、上記の表示装置において、前記切込み部は、前記フレキシブルプリント配線板の対向する側端辺に各１つ以上設けられているものである。これにより、フレキシブルプリント配線板の位置ずれの許容範囲をさらに拡張することができる。
【００１２】
本発明の第５の態様にかかるフレキシブルプリント配線板は、表示パネルと当該表示パネルに信号を供給する回路とを接続するフレキシブルプリント配線板であって、前記フレキシブルプリント配線板は、側端辺から設けられた切込み部を有し、前記切込み部の先端には、略円形状の開口部が設けられているものである。これにより、表示パネルと制御回路との信頼性の高い接続を容易に行うことができるフレキシブルプリント配線板を提供することができる。
【００１３】
本発明の第６の態様にかかるフレキシブルプリント配線板は、上記のフレキシブルプリント配線板において、前記開口部の大きさは、前記切込み部の幅よりも大きいものである。これにより、フレキシブルプリント配線板の自由度を向上させることができる。
【００１４】
本発明の第７の態様にかかるフレキシブルプリント配線板は、上記のフレキシブルプリント配線板において、前記切込み部の前記側端辺からの長さは、前記フレキシブルプリント配線板の幅の半分以下であるものである。これにより、接続の信頼性を向上させることができる。
【００１５】
本発明の第８の態様にかかるフレキシブルプリント配線板は、上記のフレキシブルプリント配線板において、前記切込み部は、前記フレキシブルプリント配線板の対向する側端辺に各１つ以上設けられているものである。これにより、フレキシブルプリント配線板の自由度をさらに向上させることができる。
【発明の効果】
【００１６】
本発明により、フレキシブルプリント配線板の接続の信頼性を向上させることができる表示装置及びこれに用いるフレキシブルプリント配線板を提供するができる。
【発明を実施するための最良の形態】
【００１７】
以下に、本発明を適用可能な実施の形態が説明される。以下の説明は、本発明の実施形態を説明するものであり、本発明は以下の実施形態に限定されるものではない。
【００１８】
本発明の実施の形態について、図１を参照して説明する。図１は、本発明にかかる表示装置の構成の一例を示す図である。ここでは、表示装置の一例として、ＳＴＮ（Super Twisted Nematic）方式の単純マトリクス型の液晶表示装置１００ついて説明する。図１に示すように、本実施の形態にかかる液晶表示装置１００は、液晶表示パネル１０１、駆動回路１０２、ＦＰＣ１０３、外部接続端子１０４、制御回路１０５、コネクタ１０６、切込み部１０７、開口部１０８を有している。
【００１９】
液晶表示パネル１０１は、入力される表示信号に基づいて画像表示を行う。液晶表示パネル１０１は、ガラスなどからなる２枚の基板の間に液晶を封入した構成を有している。一方の基板には、複数の信号電極が列方向に一定間隔を隔てて形成されている。また、他方の基板には、信号電極と交差するように走査電極が行方向に一定間隔を隔てて形成されている。走査電極と信号電極との交差部が画素に対応する。走査電極及び信号電極は、例えば、ＩＴＯ（Indium Tin Oxide）などの透明導電性薄膜から形成されている。液晶表示パネル１０１において、表示領域は複数の画素により構成されている。
【００２０】
駆動回路１０２は、電気的に液晶表示パネル１０１に接続され、外部から入力される表示信号に基づいて、画像の表示に必要な各種の制御信号、走査電圧及び表示電圧などを出力するものである。駆動回路１０２は液晶表示パネル１０１の一辺側のガラス基板上にＣＯＧ（Chip On Glass）実装されている。
【００２１】
液晶表示パネル１０１の背面には、バックライトユニット（不図示）が備えられている。バックライトユニットは、液晶表示パネル１０１の反視認側から液晶表示パネル１０１に対して面状の光を照射する。バックライトユニットとしては、例えば、光源、導光板、プリズムシートなどを備えた一般的な構成のものを用いる。
【００２２】
ＦＰＣ１０３は、液晶表示パネル１０１の駆動回路１０２が設けられた一辺側にＡＣＦ（Anisotropic Conductive Film）などにより熱圧着されている。ＡＣＦは、絶縁性の接着材の中に金属粒子などの導電粒子を所定量含有したものである。ＦＰＣ１０３に設けられた接続端子（不図示）と液晶表示パネル１０１側の接続端子(不図示)とは、ＡＣＦ中に含有される導電粒子により電気的に接続されるとともに、ＦＰＣ１０３と液晶表示パネル１０１とは接着されている。
【００２３】
また、ＦＰＣ１０３の液晶表示パネル１０１に接続された辺に対向する辺には、外部接続端子１０４が設けられている。外部接続端子１０４は、制御回路１０５に設けられたコネクタ１０６に挿入されている。これにより、制御回路１０５と液晶表示パネル１０１とがＦＰＣ１０３を介して接続されている。ＦＰＣ１０３の配線は、コネクタ１０６側から液晶表示パネル１０１の接続端子側まで設けられている。また、ＦＰＣ１０３の配線は、後述する切込み部１０７を迂回するように、例えば、波状に形成されている。ＦＣＰ１０３の配線を介して制御回路１０５からの電源電圧や表示信号を駆動回路１０２へと供給することにより、液晶表示パネル１０１を駆動することができる。
【００２４】
ＦＰＣ１０３の側端辺には、切込み部１０７が設けられている。切込み部１０７は、ＦＰＣ１０３の側端辺から幅方向の中央に向かって形成されている。この切込み部１０７は、一般的なＦＰＣ１０３の打ち抜き加工により容易に形成することができる。ＦＰＣ１０３が液晶表示パネル１０１に対してずれた状態で接続された場合、ＦＰＣ１０３の外部接続端子１０４の位置が制御回路１０５のコネクタ１０６の位置からずれてしまう。従来、このような場合に、無理やりＦＰＣと制御回路とを接続すると、ＦＣＰに撓みや突っ張りが生じてしまう。このようなＦＰＣの撓みや突っ張りによりＦＰＣに負荷が加わり、ＦＰＣが制御回路あるいは液晶表示パネルから外れてしまい、接続不良が発生していた。
【００２５】
しかしながら、本発明においては、このＦＰＣ１０３の位置のずれにより発生する応力を、切込み部１０７により吸収することができる。すなわち、ＦＰＣ１０３に生じた応力を、切込み部１０７により分散させることができる。このため、ＦＰＣ１０３による液晶表示パネル１０１と制御回路１０５との信頼性の高い接続を容易に行うことができる。また、ＦＰＣ１０３の外部接続端子１０４とコネクタ１０６とが多少ずれていても、信頼性の高い接続を行うことができるため、ＦＰＣ１０３と液晶表示パネル１０１との接続に要していた、ＦＰＣ１０３の位置決めにかかる時間を短くすることができ、作業効率を向上させることができる。
【００２６】
また、液晶表示装置１００において外部接続端子１０４の数が多くなり、接続端子１０４が狭ピッチの場合でも、切込み部１０７によりＦＰＣ１０３の撓みや突っ張りによる応力を分散させることができるため、ＦＰＣ１０３がコネクタ１０６に対してずれてしまうことがない。これにより、隣接する接続端子が短絡してしまうという問題を低減させることができる。
【００２７】
また、切込み部１０７の先端には、開口部１０８が設けられている。開口部１０８は、上述した切込み部１０７の形成と同様に、ＦＰＣ１０３の打ち抜き加工により容易に形成することができる。また、開口部１０８の形状は、略円形状である。このような形状とすることによって、さらにＦＰＣ１０３の可動範囲、すなわち自由度が増し、ＦＰＣ１０３の位置ずれの許容範囲が拡張される。また、開口部１０８により、ＦＰＣ１０３の撓みや突っ張りによりＦＰＣ１０３に負荷が加わった場合においても、切込み部１０７からＦＰＣ１０３に亀裂が生じ、ＦＰＣ上のパターン配線が切断されたりするような問題の発生も軽減できる。
【００２８】
また、切込み部１０７は、ＦＰＣ１０３の対向する２側端辺において、各１つ以上設けられている。本実施の形態においては、図１に示すように、左側の側端辺に２つ、右側の側端辺に１つの切込み部１０７が設けられている。また、対向する側端辺に形成する切込み部１０７は、互いに位置をずらして形成されている。このように、ＦＰＣ１０３の対向する側端辺において、各１つ以上の切込み部１０７が設けられているため、さらにＦＰＣ１０３の可動範囲が広がり、ＦＰＣ１０３の位置ずれの許容範囲が拡張される。
【００２９】
ここで、図２を参照して、ＦＰＣ１０３の構成について詳細に説明する。図２は、本発明にかかるＦＰＣ１０３の一部の構成を示す拡大図である。上述したように、ＦＰＣ１０３には、切込み部１０７と開口部１０８とが設けられている。
【００３０】
図２に示すように、開口部１０８の大きさ（直径Ｄ）は、切込み部１０７の幅（ｄ）よりも大きくなっている。これにより、図２に示すように、開口部１０８を中心として、切込み部１０７が大きく開くことができる。このため、上述したように、ＦＰＣ１０３の可動範囲が拡大され、ＦＰＣ１０３の位置ずれの許容範囲が拡張される。また、切込み部１０７の幅（ｄ）は、１ｍｍ以下であることが好ましい。これにより、ＦＰＣ１０３の外径寸法の増大を抑制することができ、コストアップを軽減できる。
【００３１】
また、切込み部１０７の側端辺からの長さ（ｌ）は、ＦＰＣ１０３の幅（Ｌ）の半分以下であることが好ましい。これにより、切込み部１０７が広がるあるいは狭まった状態で接続された場合においても、ＦＰＣ１０３の液晶表示パネル１０１に対するずれを小さくすることができ、ＦＰＣ１０３による液晶表示パネル１０１と制御回路１０５との信頼性の高い接続を容易に行うことができる。
【００３２】
このようにして、液晶表示装置１００に接続されたＦＰＣ１０３に切込み部１０７及び開口部１０８を設けることによって、ＦＰＣ１０３がずれた場合でも、信頼性の高い接続を容易に行うことができる。
【００３３】
なお、液晶表示パネルの方式としては上記の例に限定されず、例えば、ＩＰＳ（In Plane Switching）方式のように、電極を一方のガラス基板にのみ形成して、ガラス基板を対向させて、ガラス基板間で液晶を挟持して液晶表示パネルを構成する方式を用いてもよい。
【００３４】
また、本発明は、実施形態として液晶表示装置を例示して説明したが、有機ＥＬ（Electro Luminescence）表示装置など他の表示装置にも適用できる。また、ＦＰＣ１０３がコネクタ１０６により接続される場合に限らず、半田付けなどにより、接続される場合にも適用可能であることはいうまでもない。
【図面の簡単な説明】
【００３５】
【図１】本発明の実施の形態にかかる液晶表示装置の構成を示す図である。
【図２】本発明の実施の形態に係るフレキシブルプリント配線板の構成を示す図である。
【符号の説明】
【００３６】
１００  液晶表示装置
１０１  液晶表示パネル
１０２  駆動回路
１０３  フレキシブルプリント配線板
１０４  外部接続端子
１０５  制御回路
１０６  コネクタ
１０７  切込み部
１０８  開口部
【図１】
2007199464.tif 000003
【図２】
2007199464.tif 000004